(57)【要約】【課題】一対の帯状の基材のそれぞれに、複数本の雄型爪部が設けられ、それら雄型爪部が互いに嵌め込まれる嵌合具において、例えば袋体を封じる際に、互いの雄型爪部の嵌め込み位置が途中でずれても袋体を確実に封じることができる嵌合具、および該嵌合具を備えた嵌合具付き袋体の提供を目的とする。【解決手段】一対の帯状の基材２、３のそれぞれに、基材２、３から立ち上がる幹部と、該幹部の上部に設けられた該幹部よりも大きい頭部とを有する凸条の雄型爪部４、５が、基材２、３の長手方向に沿って並行して複数本設けられ、前記複数本の雄型爪部５の各々に、複数の切り欠き部６が形成されている嵌合具１。また、嵌合具１を備えた嵌合具付き袋体。【選択図】図１
2012034941.tif 000002
【特許請求の範囲】
【請求項１】
一対の帯状の基材のそれぞれに、
該基材から立ち上がる幹部と、該幹部の上部に設けられた該幹部よりも大きい頭部とを有する凸条の雄型爪部が、前記基材の長手方向に沿って並行して複数本設けられ、
それらの基材の各々の複数本の凸条の雄型爪部が互いに嵌め込まれる嵌合具であって、
前記複数本の凸条の雄型爪部の各々に、複数の切り欠き部が形成されていることを特徴とする嵌合具。
【請求項２】
前記複数本の凸状の雄型爪部の各々に形成された複数の切り欠き部が、該凸条の雄型爪部に対して斜めに直線的に整列している、請求項１に記載の嵌合具。
【請求項３】
前記複数の切り欠き部が、一方の基材の凸条の雄型爪部にのみ形成されている、請求項１または２に記載の嵌合具。
【請求項４】
内容物を収容する袋本体と、該袋本体に取り付けられた、請求項１〜３のいずれか一項に記載の嵌合具とを具備する嵌合具付き袋体。
【発明の詳細な説明】
【技術分野】
【０００１】
本発明は、嵌合具および嵌合具付き袋体に関する。
【背景技術】
【０００２】
内容物を収容する開閉自在な袋体としては、開閉が容易な点から、例えば、図９に例示した嵌合具１０１が使用されている（例えば、特許文献１、２）。嵌合具１０１は、図９に示すように、一対の帯状の基材１１０、１２０を有し、それら基材１１０、１２０のそれぞれに、該基材１１０、１２０の長手方向に沿って複数本の凸条の爪部１１１、１１２が並行して設けられている。爪部１１１は、基材１１０の面から立ち上がる幹部１１１ａと、幹部１１１ａの上部に設けられた該幹部１１１ａよりも大きい頭部１１１ｂとを有する、いわゆる雄型の爪部である。同様に、爪部１２１は、基材１２０の面から立ち上がる幹部１２１ａと、幹部１２１ａの上部に設けられた該幹部１２１ａよりも大きい頭部１２１ｂとを有する、雄型の爪部である。
嵌合具１０１は、図１０に示すように、複数本の爪部１１１と爪部１２１とを、互いの頭部１１１ｂと頭部１２１ｂを引っ掛けるようにして嵌め込むことで、袋体の開口部を開閉自在に封じることができる。
【０００３】
しかし、嵌合具１０１を使用した袋体では、開口部を嵌合具１０１により閉じる際、例えば、隣り合う爪部１２１と爪部１２１の間に嵌め込む爪部１１１が、途中で爪部１２１を乗り越えるようにしてずれて、その隣の爪部１２１と爪部１２１の間に嵌まり込むことがある。このように、爪部１１１と爪部１２１の互いの嵌め込み位置が途中でずれると、爪部１１１が爪部１２１を乗り越えている部分の周辺では、爪部１１１と爪部１２１が互いに嵌め込まれていない状態となるため、袋体の封止が不完全になる。
【先行技術文献】
【特許文献】
【０００４】
【特許文献１】特開昭６３−５５０６１号公報
【特許文献２】特開２００６−２９０３７３号公報
【発明の概要】
【発明が解決しようとする課題】
【０００５】
本発明は、一対の帯状の基材のそれぞれに、複数本の雄型の爪部が設けられ、それら爪部を互いに嵌め込まれる嵌合具であって、例えば袋体を封じる際に、互いの爪部の嵌め込み位置が途中でずれても、該袋体を確実に封じることができる嵌合具、および該嵌合具を備えた嵌合具付き袋体の提供を目的とする。
【課題を解決するための手段】
【０００６】
本発明は、前記課題を解決するために以下の構成を採用した。
［１］一対の帯状の基材のそれぞれに、
該基材から立ち上がる幹部と、該幹部の上部に設けられた該幹部よりも大きい頭部とを有する凸条の雄型爪部が、前記基材の長手方向に沿って並行して複数本設けられ、
それらの基材の各々の複数本の凸条の雄型爪部が互いに嵌め込まれる嵌合具であって、
前記複数本の凸条の雄型爪部の各々に、複数の切り欠き部が形成されていることを特徴とする嵌合具。
［２］前記複数本の凸状の雄型爪部の各々に形成された複数の切り欠き部が、該凸条の雄型爪部に対して斜めに直線的に整列している、前記［１］に記載の嵌合具。
［３］前記複数の切り欠き部が、一方の基材の凸条の雄型爪部にのみ形成されている、前記［１］または［２］に記載の嵌合具。
［４］内容物を収容する袋本体と、該袋本体に取り付けられた、前記［１］〜［３］のいずれか一項に記載の嵌合具とを具備する嵌合具付き袋体。
【発明の効果】
【０００７】
本発明の嵌合具は、一対の帯状の基材のそれぞれに、複数本の雄型の爪部が設けられ、それら爪部が互いに嵌め込まれる嵌合具であって、例えば袋体を封じる際、互いの爪部の嵌め込み位置が途中でずれても袋体を確実に封じることができる。
本発明の嵌合具付き袋体は、本発明の嵌合具を備えているため、該嵌合具の互いの爪部の嵌め込み位置が途中でずれても、袋体を確実に封じることができる。
【図面の簡単な説明】
【０００８】
【図１】本発明の嵌合具の一例を示した斜視図である。
【図２】図１の嵌合具のＩ−Ｉ’線で切断したときの断面図（Ａ）、および該嵌合具を嵌合した様子を示した断面図（Ｂ）である。
【図３】図１の嵌合具の基材３の平面図である。
【図４】図１の嵌合具を嵌合した様子を示した平面図である。
【図５】図１の嵌合具を嵌合した様子を示した平面図である。
【図６】本発明の嵌合具における切り欠き部が形成された雄型爪部を有する基材の他の実施形態例を示した平面図である。
【図７】図６の基材を有する嵌合具を嵌合した様子を示した平面図である。
【図８】本発明の嵌合具付き袋体の一例を示した正面図である。
【図９】従来の嵌合具の一例を示した斜視図（Ａ）、およびその直線II−II’で切断したときの断面図（Ｂ）である。
【図１０】図９の嵌合具を嵌合した様子を示した断面図である。
【発明を実施するための形態】
【０００９】
［嵌合具］
以下、本発明の嵌合具の一例を示して詳細に説明する。
本実施形態の嵌合具１は、図１および図２（Ａ）に示すように、一対の帯状の基材２、３を有しており、それら基材２、３のぞれぞれに、該基材２、３の長手方向に沿って複数本（この例では４本ずつ）の凸条の雄型爪部４、５が並行して設けられている。
【００１０】
雄型爪部４は、基材２の内面から立ち上がる幹部４ａと、幹部４ａの上部に設けられた該幹部４ａよりも大きい頭部４ｂとを有する。
雄型爪部５は、基材３の内面から立ち上がる幹部５ａと、幹部５ａの上部に設けられた該幹部５ａよりも大きい頭部５ｂとを有する。
嵌合具１は、図２（Ｂ）に示すように、雄型爪部４の頭部４ｂを、並行して形成された隣り合う雄型爪部５と雄型爪部５の間に嵌め込み、同時に雄型爪部５の頭部５ｂを、並行して形成された隣り合う雄型爪部５と雄型爪部５の間に嵌め込むようにして、頭部４ｂと頭部５ｂを互いに引っ掛けて、雄型爪部４と雄型爪部５とを互いに着脱自在に嵌合できるようになっている。
【００１１】
雄型爪部４と雄型爪部５の断面形状は、それらを互いに着脱することで、袋体に形成した開口部の開閉が繰り返し行えるものであればよく、公知の断面形状を採用できる。
雄型爪部４と雄型爪部５の本数は、この例では共に４本であるが、４本には限定されない。雄型爪部４と雄型爪部５の本数は、３〜６本が好ましく、４〜５本がより好ましい。雄型爪部４と雄型爪部５の本数は、同じであってもよく、異なっていてもよい。
【００１２】
本実施形態では、図１および図３に示すように、基材３に設けられた雄型爪部５には、複数の切り欠き部６が形成されている。雄型爪部５に切り欠き部６が形成されていることにより、以下に示す効果が得られる。
隣り合う雄型爪部５の間に雄型爪部４を嵌め込んで雄型爪部４と雄型爪部５を嵌合する際には、図４（Ａ）および図４（Ｂ）に示すように、雄型爪部４が雄型爪部５を乗り越えるようにして、雄型爪部４の嵌め込み位置が途中でずれてしまう場合がある。しかし、嵌合具１では、この場合でも、雄型爪部４が切り欠き部６に沿って嵌まり込んだ状態で、隣の雄型爪部５と雄型爪部５の間にずれて嵌まり込むことができる。これにより、雄型爪部４の嵌め込み位置がずれた切り欠き部６の周辺においても、雄型爪部４が雄型爪部５の上に乗って浮き上がらず、雄型爪部４と雄型爪部５とを互いに嵌め込むことができる。そのため、雄型爪部４の嵌め込み位置が途中でずれても、袋体の開口部を確実に封じることができる。
【００１３】
切り欠き部６の形態は特に限定されず、雄型爪部５に刃物によって切り込みを入れることにより形成したものでもよく、雄型爪部５の一部を切除することにより形成したものでもよく、雄型爪部５の一部を押し潰して形成したものでもよい。
【００１４】
雄型爪部５に形成する切り欠き部６の長さｄ１（図３）は、雄型爪部４の幅に対して、１．０倍〜３．０倍が好ましく、１．５倍〜２．５倍がより好ましい。切り欠き部６の長さｄ１が前記下限値以上であれば、爪部４の嵌め込み位置が途中でずれても、爪部４が切り欠き部６に嵌まり込みやすく、雄型爪部４が浮き上がって雄型爪部４と雄型爪部５の嵌合が部分的に不充分になることを抑制しやすい。切り欠き部６の長さｄ１が前記上限値以下であれば、雄型爪部４と雄型爪部５とを互いに嵌め込む部分が相対的に多くなるので、袋体の開口部を封じる力がより強くなる。
【００１５】
隣り合う切り欠き部６と切り欠き部６の間隔ｄ２（図３）は、０．５ｍｍ〜４．０ｍｍが好ましく、１．５ｍｍ〜２．５ｍｍがより好ましい。前記間隔ｄ２が前記下限値以上であれば、雄型爪部４と雄型爪部５とを互いに嵌め込む部分が相対的に多くなるので、雄型爪部４と雄型爪部５をより強固に嵌合しやすい。前記間隔ｄ２が前記上限値以下であれば、雄型爪部４の嵌め込み位置が途中でずれた場合でも、雄型爪部４が切り欠き部６に嵌まり込みやすくなるので、雄型爪部４と雄型爪部５の嵌合が部分的に不充分になることを抑制しやすい。
【００１６】
切り欠き部６は、図３に示すように、凸条の雄型爪部５に対して斜めに直線的に整列していることが好ましい。つまり、凸条の雄型爪部５に対して傾斜した直線ｌに沿って整列していることが好ましい。切り欠き部６が、直線ｌに沿って整列していれば、図４（Ａ）に示すように、互いに並行する複数本の雄型爪部４の嵌め込み位置が途中でずれた場合に、それぞれの雄型爪部４が、直線ｌに沿って整列した切り欠き部６にそれぞれ嵌まり込むので、雄型爪部４が雄型爪部５の上に乗って部分的に浮き上がることを抑制しやすい。また、図５に示すように、直線ｌに沿った方向に、雄型爪部４が２つ以上の雄型爪部５を乗り越えるように嵌め込み位置がずれる場合でも、雄型爪部４が、直線ｌに沿って連続する切り欠き部６に容易に嵌め込まれた状態となる点でも有利である。
直線ｌと雄型爪部５とがなす角度α（図３）は、１５〜７５°が好ましく、３０〜４５°がより好ましい。前記角度αが前記下限値以上であれば、雄型爪部４と雄型爪部５を容易に嵌合できる。前記角度αが前記上限値以下であれば、同様に雄型爪部４と雄型爪部５を容易に嵌合できる。
なお、直線ｌと雄型爪部５とがなす角度αとは、直線ｌと雄型爪部５とがなす角のうち、９０°以下の角度を意味する。
【００１７】
また、切り欠き部６は、図３に示すように、直線ｌに沿って整列していると同時に、雄型爪部５に対して、直線ｌとは反対に傾斜した直線ｍに沿っても整列していることが好ましい。切り欠き部６が、直線ｍに沿って整列していれば、図４（Ｂ）に示すように、互いに並行する複数本の雄型爪部４の嵌め込み位置が途中でずれる場合に、そのそれぞれの雄型爪部４が、直線ｍに沿って整列した切り欠き部６にそれぞれ嵌まり込むので、雄型爪部４が雄型爪部５の上に乗って部分的に浮き上がることを抑制しやすい。また、直線ｍに沿った方向に、雄型爪部４が２つ以上の雄型爪部５を乗り越えるように嵌め込み位置がずれる場合でも、直線ｍに沿って連続する切り欠き部６に容易に嵌め込まれた状態となる点でも有利である。
直線ｍと雄型爪部５とがなす角度β（図３）は、１５〜７５°が好ましく、３０〜４５°がより好ましい。前記角度βが前記下限値以上であれば、雄型爪部４と雄型爪部５を容易に嵌合できる。前記角度βが前記上限値以下であれば、同様に雄型爪部４と雄型爪部５を容易に嵌合できる。
なお、直線ｍと雄型爪部５とがなす角度βとは、直線ｍと雄型爪部５とがなす角のうち、９０°以下の角度を意味する。
前記角度αと角度βは、同じであることが好ましい。
【００１８】
切り欠き部６が形成されることによって間隔が生じ、破線状となった雄型爪部５のそれぞれの部分の形状は、図６に示すように、切り欠き部６側のそれぞれの端部の形状が直線ｌおよび直線ｍに沿った形状となった六角形状であることが好ましい。破線状の雄型爪部５のそれぞれの部分がこのような六角形状であれば、図７に示すように、雄型爪部４の嵌め込み位置が途中でずれて切り欠き部６に嵌まり込む際、雄型爪部４の屈曲が緩やかになる。そのため、矩形状の場合（図４）に比べて、雄型爪部４が切り欠き部６に嵌まり込みやすく、雄型爪部４の嵌め込み位置がずれても雄型爪部４と雄型爪部５をより強固に嵌合することが容易になる。
【００１９】
嵌合具１の材質としては、公知の嵌合具と同じ材質が使用でき、ポリエチレン、ポリプロピレンなどのポリオレフィン系樹脂などが挙げられる。嵌合具１の材質は、１種の樹脂からなっていてもよく、２種以上の樹脂を含む樹脂組成物からなっていてもよい。また、必要に応じて安定剤、酸化防止剤、滑剤、帯電防止剤、着色剤などの公知の添加剤が添加されていてもよい。
また、基材２、３は、単層構成からなっていてもよく、多層構成からなっていてもよい。積層フィルムとしては、ヒートシール層、耐熱層、バリア層などを含むフィルムが挙げられる。
【００２０】
［嵌合具付き袋体］
本発明の嵌合具付き袋体は、前述した本発明の嵌合具を備えた袋体である。以下、本発明の嵌合具付き袋体の一例として、前述した嵌合具１を備えた嵌合具付き袋体１０（以下、「袋体１０」という。）について説明する。ただし、本発明の嵌合具付き袋体は、以下に説明する袋体１０には限定されない。
袋体１０は、図８に示すように、内容物を収容する袋本体１１と、袋本体１１内の上部に横方向に沿って設けられた嵌合具１とを有している。
袋本体１１は、２枚のフィルム材１２、１３が重ね合わされ、それらの周縁部１４が上部を残してヒートシールされることで形成されている。
袋本体１１の形状は、この例では矩形である。ただし、袋本体１１の形状は矩形には限定されない。また、袋本体１１の大きさも特に限定されず、袋本体１１に収容する内容物によって適宜選定すればよい。
【００２１】
袋本体１１を形成するフィルム材１２、１３は、ヒートシールにより嵌合具１を溶着できるものであればよく、内面側からシーラント層と基材層を少なくとも有する積層フィルムが好ましい。
基材層としては、二軸延伸ナイロン、二軸延伸ポリプロピレンなどが挙げられる。
シーラント層としては、直鎖状低密度ポリエチレン、無延伸ポリプロピレン、エチレン−酢酸ビニル共重合体、アイオノマーなどが挙げられる。
また、前記積層フィルムには、バリア層などの機能層を設けてもよい。
また、フィルム材１２、１３は、シーラント層のみからなる単層フィルムであってもよい。
【００２２】
袋体１０は、開口部に本発明の嵌合具１を備えているため、雄型爪部４と雄型爪部５を嵌合する際、途中で雄型爪部４が雄型爪部５を乗り越えるようにして雄型爪部４の嵌め込み位置が途中でずれたとしても、雄型爪部４が切り欠き部６に嵌まった状態となることで、雄型爪部４が雄型爪部５の上に乗って浮き上がることを抑制できる。そのため、雄型爪部４の嵌め込み位置がずれた部分の周辺（切り欠き部６の周辺）においても、雄型爪部４と雄型爪部５とを確実に嵌合できるので、袋体１０の開口部をしっかりと封じることができる。
【００２３】
なお、本発明の嵌合具は、前述した嵌合具１には限定されない。例えば、嵌合具１では、基材３に設けられた雄型爪部５にのみ切り欠き部６が形成されていたが、基材２に設けられた雄型爪部４と、基材３に設けられた雄型爪部５の両方に切り欠き部が形成されていてもよい。ただし、雄型爪部４と雄型爪部５とを互いに嵌め込む部分がより多く、雄型爪部４と雄型爪部５とをより強固に嵌合しやすい点から、嵌合具１のように、一方の基材の雄型爪部のみに切り欠き部が形成された嵌合具が好ましい。
【符号の説明】
【００２４】
１  嵌合具
２、３  基材
４、５  雄型爪部
４ａ、５ａ  幹部
４ｂ、５ｂ  頭部
６  切り欠き部
１０  嵌合具付き袋体
１１  袋本体
【図１】
2012034941.tif 000003
【図２】
2012034941.tif 000004
【図３】
2012034941.tif 000005
【図４】
2012034941.tif 000006
【図５】
2012034941.tif 000007
【図６】
2012034941.tif 000008
【図７】
2012034941.tif 000009
【図８】
2012034941.tif 000010
【図９】
2012034941.tif 000011
【図１０】
2012034941.tif 000012